(57)【要約】【課題】コンクリート製電柱の中空部内を撮像する撮像手段のふらつきを防止し、撮像処理による確認作業を短時間で効率的に行ない得るコンクリート製電柱内部確認方法を提供する。【解決手段】下端部に重り２５を取り付けたワイヤ２０にカメラ４１を取付部材４３で固定的に取り付けるとともに、カメラコード４７も取付部材４５で固定的に取り付け、コンクリート製電柱１の側部に形成された開口部７からパイプ１３を用いてワイヤ２０の下端部の重り２５をカメラ４１とともに中空部５のほぼ中央に垂れ下ろし、ワイヤ２０がコンクリート製電柱１の最下端部の底に当るまでワイヤを垂れ下ろし、重り２５が底に当って倒れた場合に重り２５が起立するようにワイヤを引き上げて緊張させ、このワイヤを緊張させた状態においてカメラ４１でコンクリート製電柱の中空部内を撮像して確認する。【選択図】図１
2005227135.tif 000002
【特許請求の範囲】
【請求項１】
立設されているコンクリート製電柱の中空部内を確認するコンクリート製電柱内部確認方法であって、
下端部に重りを取り付けたワイヤに撮像手段を取り付け、
前記ワイヤを下端部の重り側からコンクリート製電柱の中空部内に垂れ下ろし、
前記ワイヤの下端部の重りがコンクリート製電柱の中空部内の底部に当った状態でワイヤを上方に引き上げるようにしてワイヤを緊張させ、
このワイヤを緊張させた状態において前記撮像手段でコンクリート製電柱の中空部内を確認すべく撮像する
ことを特徴とするコンクリート製電柱内部確認方法。
【請求項２】
前記撮像手段のワイヤへの取り付けは、撮像手段をワイヤの固定的に取り付けることを特徴とする請求項１記載のコンクリート製電柱内部確認方法。
【請求項３】
立設されているコンクリート製電柱の中空部内を確認するコンクリート製電柱内部確認方法であって、
下端部に重りを取り付けたワイヤを下端部の重り側からコンクリート製電柱の中空部内に垂れ下ろし、
前記ワイヤの下端部の重りがコンクリート製電柱の中空部内の底部に当った状態でワイヤを上方に引き上げるようにしてワイヤを緊張させ、
この緊張させた状態のワイヤに沿って撮像手段を移動させ得るように撮像手段をワイヤに連結し、
この連結状態で撮像手段をワイヤに沿って移動させながらコンクリート製電柱の中空部内を確認すべく撮像する
ことを特徴とするコンクリート製電柱内部確認方法。
【請求項４】
前記撮像手段をワイヤに沿って移動させ得るように撮像手段をワイヤに連結する処理は、
前記ワイヤが円滑に貫通し得るようにワイヤの直径よりも若干大きい直径を有する環状部材を撮像手段に取り付け、
この環状部材にワイヤを挿入して連結する
ことを特徴とする請求項３記載のコンクリート製電柱内部確認方法。
【請求項５】
前記撮像手段には撮像用コードが取り付けられ、撮像手段は、該撮像用コードによりワイヤに沿って上方から吊り下げられていることを特徴とする請求項１乃至４のいずれか１項に記載のコンクリート製電柱内部確認方法。
【請求項６】
前記ワイヤを下端部の重り側から中空部内に垂れ下ろし作業は、コンクリート製電柱の側部に形成された開口部またはコンクリート製電柱の最上端の上端末口部から行なうことを特徴とする請求項１乃至５のいずれか１項に記載のコンクリート製電柱内部確認方法。
【請求項７】
前記重りおよび撮像手段を取り付けるワイヤは、強化材としての複数の棒状部材を中空部内に均等に配置するための補強材均等配置用冶具を吊り下げるワイヤを利用することを特徴とする請求項１乃至６のいずれか１項に記載のコンクリート製電柱内部確認方法。
【請求項８】
前記ワイヤに取り付けられた重りおよび撮像手段は、コンクリート製電柱の中空部の断面においてほぼ中央に垂れ下ろされることを特徴とする請求項１乃至７のいずれか１項に記載のコンクリート製電柱内部確認方法。
【請求項９】
前記ワイヤに取り付けられた重りおよび撮像手段は、コンクリート製電柱の中空部内に配置された複数の棒状部材および補強材均等配置用冶具を避けるように中空部の縁部に沿って垂れ下ろされることを特徴とする請求項１乃至７のいずれか１項に記載のコンクリート製電柱内部確認方法。
【請求項１０】
前記ワイヤは、重りおよび撮像手段を中空部内に円滑に繰り出すことができるようにワイヤを巻き取ったり、巻き戻すことができる巻取器を用いて中空部内への繰り出しを行なうことを特徴とする請求項１乃至９のいずれか１項に記載のコンクリート製電柱内部確認方法。
【発明の詳細な説明】
【技術分野】
【０００１】
本発明は、立設されているコンクリート製電柱の中空部内を撮像手段で撮像して確認するコンクリート製電柱内部確認方法に関する。
【背景技術】
【０００２】
コンクリート製電柱の設置工事では、立設したコンクリート製電柱の中空部に補強材としての棒状部材を複数本挿入し、それから該複数本の棒状部材の隙間に例えば豆砂利や砕石を投入し、更にモルタルやコンクリートなどを順次投入することによりコンクリート製電柱を補強している。このような補強は、特にコンクリート製電柱の地中に埋設された下端部と地中から延出した地際に近い部分に対して重点的に行なわれる。
【０００３】
コンクリート製電柱の設置工事は勿論のこと、一般的な土木工事では、工事の各工程毎に現場の写真を撮って、各工程の処理が適確に行なわれたことを確認するための記録を取っている。
【０００４】
コンクリート製電柱の設置工事では、このような写真撮影による確認処理は、従来、立設したコンクリート製電柱の中空部内にカメラをカメラコードなどで吊るしながら挿入し、所望の位置まで挿入したカメラでコンクリート製電柱の中空部内を撮影し、中空部内の工事現場の状態を写真として記録することにより行なっている。なお、このような写真撮影による工事現場の確認処理は、工事の各工程毎だけでなく、工事開始前の事前調査時にも現場の初期状態を確認記録するためにも行なわれることは勿論のことである。
【特許文献１】特願２００３−２４１７６号
【発明の開示】
【発明が解決しようとする課題】
【０００５】
従来、コンクリート製電柱の設置工事におけるコンクリート製電柱の中空部内の写真撮影による確認処理では、カメラコードなどに吊るしたカメラをコンクリート製電柱の中空部内に挿入し、所望の位置まで挿入したカメラで中空部内を撮影しているが、このようにカメラをカメラコードなどに吊るした状態では、カメラコードなどの揺れとともにカメラも揺れてふらつくため、カメラのふらつきがなくなり、カメラが安定するまで撮影できず、１枚の写真をとるにもかなりの時間がかかり、複数の写真を撮る必要がある全作業を完了するまでに長時間を必要とし、非効率的であるという問題がある。
【０００６】
本発明は、上記に鑑みてなされたもので、その目的とするところは、コンクリート製電柱の中空部内を撮像する撮像手段のふらつきを防止し、撮像処理による確認作業を短時間で効率的に行ない得るコンクリート製電柱内部確認方法を提供することにある。
【課題を解決するための手段】
【０００７】
請求項１記載の本発明のコンクリート製電柱内部確認方法は、立設されているコンクリート製電柱の中空部内を確認するコンクリート製電柱内部確認方法であって、下端部に重りを取り付けたワイヤに撮像手段を取り付け、前記ワイヤを下端部の重り側からコンクリート製電柱の中空部内に垂れ下ろし、前記ワイヤの下端部の重りがコンクリート製電柱の中空部内の底部に当った状態でワイヤを上方に引き上げるようにしてワイヤを緊張させ、このワイヤを緊張させた状態において前記撮像手段でコンクリート製電柱の中空部内を確認すべく撮像することを要旨とする。
【０００８】
請求項２記載の本発明のコンクリート製電柱内部確認方法は、前記撮像手段のワイヤへの取り付けが、撮像手段をワイヤへ固定的に取り付けることを要旨とする。
【０００９】
請求項３記載の本発明のコンクリート製電柱内部確認方法は、立設されているコンクリート製電柱の中空部内を確認するコンクリート製電柱内部確認方法であって、下端部に重りを取り付けたワイヤを下端部の重り側からコンクリート製電柱の中空部内に垂れ下ろし、前記ワイヤの下端部の重りがコンクリート製電柱の中空部内の底部に当った状態でワイヤを上方に引き上げるようにしてワイヤを緊張させ、この緊張させた状態のワイヤに沿って撮像手段を移動させ得るように撮像手段をワイヤに連結し、この連結状態で撮像手段をワイヤに沿って移動させながらコンクリート製電柱の中空部内を確認すべく撮像することを要旨とする。
【００１０】
請求項４記載の本発明のコンクリート製電柱内部確認方法は、前記撮像手段をワイヤに沿って移動させ得るように撮像手段をワイヤに連結する処理は、前記ワイヤが円滑に貫通し得るようにワイヤの直径よりも若干大きい直径を有する環状部材を撮像手段に取り付け、この環状部材にワイヤを挿入して連結することを要旨とする。
【００１１】
請求項５記載の本発明のコンクリート製電柱内部確認方法は、前記撮像手段には撮像用コードが取り付けられ、撮像手段が、該撮像用コードによりワイヤに沿って上方から吊り下げられていることを要旨とする。
【００１２】
請求項６記載の本発明のコンクリート製電柱内部確認方法は、前記ワイヤを下端部の重り側から中空部内に垂れ下ろし作業が、コンクリート製電柱の側部に形成された開口部またはコンクリート製電柱の最上端の上端末口部から行なうことを要旨とする。
【００１３】
請求項７記載の本発明のコンクリート製電柱内部確認方法は、前記重りおよび撮像手段を取り付けるワイヤが、強化材としての複数の棒状部材を中空部内に均等に配置するための補強材均等配置用冶具を吊り下げるワイヤを利用することを要旨とする。
【００１４】
請求項８記載の本発明のコンクリート製電柱内部確認方法は、前記ワイヤに取り付けられた重りおよび撮像手段が、コンクリート製電柱の中空部の断面においてほぼ中央に垂れ下ろされることを要旨とする。
【００１５】
請求項９記載の本発明のコンクリート製電柱内部確認方法は、前記ワイヤに取り付けられた重りおよび撮像手段が、コンクリート製電柱の中空部内に配置された複数の棒状部材および補強材均等配置用冶具を避けるように中空部の縁部に沿って垂れ下ろされることを要旨とする。
【００１６】
請求項１０記載の本発明のコンクリート製電柱内部確認方法は、前記ワイヤは、重りおよび撮像手段を中空部内に円滑に繰り出すことができるようにワイヤを巻き取ったり、巻き戻すことができる巻取器を用いて中空部内への繰り出しを行なうことを要旨とする。
【発明の効果】
【００１７】
本発明によれば、下端部に重りを取り付けたワイヤに撮像手段を取り付け、ワイヤを下端部の重り側からコンクリート製電柱の中空部内に垂れ下ろし、下端部の重りが中空部内の底部に当って倒れた場合、ワイヤの垂れ下ろしを停止し、この倒れた重りの下端のみが中空部内の底部から離れずに当った状態で重りが起立するようにワイヤを上方に引き上げてワイヤを緊張させ、このワイヤを緊張させた状態において撮像手段でコンクリート製電柱の中空部内を確認すべく撮像するので、撮像手段を取り付けて垂れ下げているワイヤが従来のように揺れてふらつくことがなく、撮像手段の撮像による確認動作を極めて短時間で迅速かつ効果的に行なうことができる。
【００１８】
本発明によれば、下端部に重りを取り付けたワイヤを下端部の重り側からコンクリート製電柱の中空部内に垂れ下ろし、重りが中空部内の底部に当って倒れた場合、ワイヤの垂れ下ろしを停止し、この倒れた重りの下端のみが中空部内の底部から触れずに当った状態で重りが起立するようにワイヤを上方に引き上げてワイヤを緊張させ、この緊張させた状態のワイヤに沿って撮像手段を移動させ得るように撮像手段をワイヤに連結し、この連結状態で撮像手段をワイヤに沿って移動させながらコンクリート製電柱の中空部内を確認すべく撮像するので、撮像手段を取り付けて垂れ下げているワイヤが従来のように揺れてふらつくことがなく、撮像手段の撮像による確認動作を極めて短時間で迅速かつ効果的に行なうことができるとともに、ワイヤに沿って撮像手段を移動させながら任意の位置の画像を撮像することができる。
【００１９】
本発明によれば、重りおよび撮像手段を取り付けるワイヤは、補強材均等配置用冶具を吊り下げるワイヤを利用するので、補強材均等配置用冶具を利用する場合に効率的に行なうことができる。
【００２０】
本発明によれば、巻取器を用いてワイヤを巻き取ったり巻き戻して、重りおよび撮像手段を中空部内に円滑に繰り出すことができる。
【発明を実施するための最良の形態】
【００２１】
以下、図面を用いて、本発明を実施するための最良の形態（以下、実施形態と称する）を説明する。
【００２２】
図１（ａ）は、本発明の一実施形態に係わるコンクリート製電柱内部確認方法を説明するためのコンクリート製電柱の断面およびコンクリート製電柱の中空部内の確認作業に必要な関連部材および装置を示す図である。なお、本実施形態のコンクリート製電柱内部確認方法は、地中に立設された例えば長さが１６〜１７ｍの共架柱などのコンクリート製電柱を補強する工事などを行なうに当って、立設されたコンクリート製電柱の内部の状態を事前に調査して確認するために行なうものである。
【００２３】
図１（ａ）においては、コンクリート製電柱１は、地中１１に埋設された下端部と地中１１から延出した地際に近い部分（以下、地際延出部と称する）のみが図示されているが、実際には上方に例えば１６〜１７ｍ高く延出しているものである。なお、地際とは、コンクリート製電柱１が地中１１から露出した位置、すなわち地表に接するコンクリート製電柱１の位置を示すものである。
【００２４】
コンクリート製電柱１は、図１（ａ）に示すように外周部３で囲まれた内部が空洞に形成されて中空部５を形成している。また、地上に延出したコンクリート製電柱１の外周部３の地際に比較的近い位置には、例えばアース孔と称する開口部７が形成されている。この開口部７は、例えば縦が４０〜６０ｍｍ、横幅が２０〜４０ｍｍの小判形の孔であり、地際から例えば１０００〜１２００ｍｍの位置のコンクリート製電柱１の側部に形成され、通常は例えばコンクリート製電柱１を補強するための補強材やモルタルなどを注入するために使用されるものであるが、本実施形態ではコンクリート製電柱内部確認のために使用する撮像手段であるカメラ４１をコンクリート製電柱１の中空部５内に挿入するために使用される。
【００２５】
地中１１に埋設されたコンクリート製電柱１の最下端部の底には、例えばヘドロなどを含む土砂３１が少し盛り上がって存在し、この土砂３１の上に留水３３が存在している。また、コンクリート製電柱１の最下端部近傍の外周部３はコンクリートが内側に膨出してノロが形成され、その一部にはコンクリート製電柱１の外周部３をコンクリートとともに構成している針金３５が露出している。
【００２６】
更に、コンクリート製電柱１の中空部５内には、地中１１に埋設された部分で下端が接地され、上端が上方に延出しているアース線５１が中空部５の側壁に沿って設けられている。
【００２７】
上述したように地中１１に立設されたコンクリート製電柱１を補強する工事などを行なうに当って、コンクリート製電柱１の立設状態を事前に確認する調査を行なうには、コンクリート製電柱１の中空部５内に撮像手段であるカメラ４１を挿入し、コンクリート製電柱１の下端部近くまでカメラ４１を揺らすように移動させながらコンクリート製電柱１の中空部５内の下方をカメラ４１の下向きに取り付けられたレンズで撮像するのであるが、単にカメラ４１のみを中空部５内にカメラコードなどで垂らしたのでは、従来技術で説明したようにカメラ４１が揺れてふらつくので、本実施形態では、図１（ａ）に示すように、重り２５を下端部に取り付けたワイヤ２０を用意する。
【００２８】
このワイヤ２０は、図１（ａ）に示すように、第１のワイヤ１５、第２のワイヤ１９、第３のワイヤ２３、第１のワイヤ１５と第２のワイヤ１９とを連結する第１のスナップ付サルカン１７、および第２のワイヤ１９と第３のワイヤ２３とを連結する第２のスナップ付サルカン２３から構成され、このように構成されるワイヤ２０の下端部、すなわち第１のワイヤ１５の下端部に重り２５が取り付けられている。この重り２５を利用してカメラ４１のふらつきを防止しようとするものであり、この重り２５の重量は、例えば約３６０〜３８０ｇである。
【００２９】
なお、第１のスナップ付サルカン１７および第２のスナップ付サルカン２３は、詳しくは、図１（ｂ）に示すように、例えば釣りなどによく使用されるものであって、両端にリング状部を有する金具をスナップ式に連結し得るものであり、このリング状部のそれぞれに各ワイヤを取り付けて連結するものである。
【００３０】
また、上述したように構成されるワイヤ２０の第２のワイヤ１９の下端部寄りの部分に対して、図１（ａ）に示すように円筒状のカメラ４１を例えばビニールテープなどの取付部材４３で縛るように取り付けて固定する。また、カメラ４１から上方に延出しているカメラコード４７も同様に例えばビニールテープなどの取付部材４５で第２のワイヤ１９を縛るように固定的に取り付けられている。
【００３１】
なお、図１（ａ）に示すワイヤおよびカメラ４１の状態は、カメラ４１をワイヤ２０に取り付け、コンクリート製電柱１の中空部５内に挿入して下端部寄りまで既に垂れ下ろし、カメラ４１で中空部５内を撮像可能な状態になっているものであるが、この状態においては、上述したようにカメラ４１を第２のワイヤ１９に取り付けられるとともに下端部に重り２５の付いたワイヤ２０をカメラ４１とともに中空部５の円筒形の横断面のほぼ中央に垂れ下ろすために第３のワイヤ２３が挿入されるアルミなどからなるパイプ１３がコンクリート製電柱１の外周部３に形成された開口部７から水平に挿入され、このパイプ１３の一端がコンクリート製電柱１の中空部５内の円筒形のほぼ中央まで延出し、他端はコンクリート製電柱１の外部に延出しているように図示されるとともに、このパイプ１３内に第３のワイヤ２３が挿入され、第３のワイヤ２３の先端はパイプ１３を貫通して外部に延出している。
【００３２】
また、図１（ａ）に示す状態では、ワイヤ２０の下端部に取り付けられた重り２５はコンクリート製電柱１の最下端部の土砂３１に当接して起立し、第２のワイヤ１９に取り付けられたカメラ４１はワイヤとともに中空部５の下端部寄りまで垂れ下ろされ、カメラ４１の下向きに取り付けられた撮像レンズで中空部５内の下方の画像を撮像可能になっている。また、カメラ４１の上端から延出し、取付部材４５で第２のワイヤ１９に取り付けられたカメラコード４７は、第２のワイヤ１９、第２のスナップ付サルカン２３、第３のワイヤ２３、パイプ１３に沿って開口部７から外部に延出し、モニタ４９に接続され、カメラ４１で撮像した中空部５内の画像がモニタ４９に表示されるようになっている。
【００３３】
カメラ４１は、詳しくは図２に示すように、直径が約２５ｍｍ、長さが約１５０ｍｍの円筒形のものであり、図２（ｂ）に示すように、下端部には中央にＣＣＤカメラ４１ｂが中空部５内の下方の画像を撮像し得るように下向きに取り付けられ、この周囲に６個のＬＥＤ４１ｃが中空部５内を照明し得るように取り付けられている。また、カメラ４１の下端部には例えば５〜２２５ｍｍの範囲で２段に伸縮自在な棒状の水センサ４１ａが取り付けられている。この水センサ４１ａは、カメラ４１が誤って留水３３に浸漬されることを防止すべく水を検知するものである。具体的には、カメラ４１が中空部５内をワイヤとともに垂れ下ろされて、中空部５内の例えば最下端部に存在している留水３３などに浸漬される直前に下方に伸張した水センサ４１ａが留水３３を検知すると、その旨をカメラ４１、カメラコード４７を介してモニタ４９に表示し、これによりカメラ４１が誤って留水３３に浸漬されることを防止するものである。
【００３４】
次に、上述した本実施形態のコンクリート製電柱内部確認方法の工事前においてコンクリート製電柱１の内部状態を事前に確認するための一連の確認動作手順について説明する。なお、開口部７は、前記アース孔などを利用するかなどして、既に形成されているものとする。
【００３５】
図１（ａ）に示すように、地中１１に立設されたコンクリート製電柱１の立設状態、特に中空部５の内部を事前に確認する調査を行なうには、まず、第１のワイヤ１５、第２のワイヤ１９、第３のワイヤ２３を図１（ａ）に示したように第１のスナップ付サルカン１７、第３のワイヤ２３で連結して１本のワイヤ２０を作成し、このワイヤ２０の下端部、すなわち第１のワイヤ１５の下端部に重り２５を取り付ける。
【００３６】
次に、第２のワイヤ１９の下端部にカメラ４１をビニールテープなどの取付部材４３で固定的に取り付けるとともに、またカメラ４１の上端部に連結されているカメラコード４７もビニールテープなどの取付部材４５で固定的に取り付ける。なお、この場合、カメラ４１のＣＣＤカメラ４１ｂが露出している先端、すなわち図１（ａ）ではカメラ４１の下端に取り付けられた撮像レンズが重り２５の方を向くように取り付ける。
【００３７】
上述したように、重り２５の付いたワイヤ２０を用意し、このワイヤ２０にカメラ４１およびカメラコード４７を取り付けた後、ワイヤ２０の上端部、すなわち第３のワイヤ２３の先端をパイプ１３に挿入し、それからカメラコード４７をワイヤ２０およびパイプ１３に沿わせる。
【００３８】
次に、重り２５をコンクリート製電柱１の開口部７から中空部５内に挿入し、続いてワイヤ２０も第１のワイヤ１５から中空部５内に挿入する。第１のワイヤ１５が開口部７から中空部５内に完全に挿入されると、開口部７の所には、第２のワイヤ１９に取り付けられたカメラ４１が位置するので、ここで、カメラ４１もワイヤ２０とともに開口部７から中空部５内に挿入する。続いて、互いに沿うように設けられたワイヤ２０とカメラコード４７とを一緒に順次取り出すように開口部７から中空部５内に挿入する。なお、このワイヤ２０とカメラコード４７の中空部５内への繰り出しは、ワイヤ２０の下端部に取り付けた重り２５により両者が引っ張られるように行なわれる。
【００３９】
このように下端部に重り２５が取り付けられ、途中にカメラ４１が取り付けられたワイヤ２０とカメラコード４７が中空部５内に下方に向かって順次繰り出され、ワイヤ２０がパイプ１３に挿入された位置が開口部７の所になると、パイプ１３を開口部７から中空部５に挿入し、このパイプ１３の先端が中空部５の断面のほぼ中央に位置するように設定し、以降はこの状態を維持するように設定する。
【００４０】
パイプ１３の先端が中空部５の断面のほぼ中央に位置するように設定されると、このパイプ１３の先端から下方に垂れ下がっているワイヤ２０は、重り２５の重力により引っ張られて緊張しながら、真直ぐ垂直にコンクリート製電柱１の最下端部の底に向かって張られる。なお、この場合、ワイヤ２０の下端部に取り付けられている重り２５は、最初は若干揺れるも、最終的には中空部５の断面のほぼ中央に位置することになる。
【００４１】
このようにワイヤ２０が重り２５の重力で下方に真直ぐ垂れ下がっているが、重り２５がコンクリート製電柱１の底に達していない場合には、重り２５がコンクリート製電柱１の底に到達するまで、ワイヤ２０をパイプ１３を介して更に中空部５内に繰り出すと同様に、またカメラコード４７もワイヤ２０に沿わせながらワイヤ２０の繰り出しとともに開口部７を介して中空部５内に繰り出す。
【００４２】
このようにワイヤ２０およびカメラコード４７を中空部５内に繰り出す動作を継続的に行っていると、ワイヤ２０の下端部に取り付けた重り２５がコンクリート製電柱１の底に当り、図１（ｃ）に示すように、重り２５は一端横倒しになる。重り２５がコンクリート製電柱１の底に当って横倒しになると、ワイヤ２０の緊張が弛むので、ワイヤ２０の上端を保持しながらパイプ１３を介して繰り出していた側においては、このワイヤ２０の緊張の緩みを検知することにより、重り２５がコンクリート製電柱１の底に到達したことを知ることができる。なお、このワイヤ２０の上端を保持しながらパイプ１３を介して繰り出していた側においては、このワイヤ２０の保持および繰り出しは、作業者が行なってもよいし、または機械的に装置が行なってもよく、またワイヤ２０の緊張の緩みの検知も作業者自身が行なうことができるし、また装置によって自動的に行なうことも可能である。
【００４３】
上述したように、ワイヤ２０の緊張の緩みの検知により重り２５がコンクリート製電柱１の底に到達して横倒しになったことを検出すると、図１（ｃ）に示すように、横倒しになった重り２５を起立させるべくパイプ１３から延出しているワイヤ２０、図１（ａ）は第３のワイヤ２３をパイプ１３を介して中空部５内から取り出すように引っ張る。
【００４４】
このようにして、重り２５が起立すると、ワイヤ２０は、再度引っ張られて緊張し、重り２５とパイプ１３の先端との間で緊張を維持した状態で固定され、従来のように揺れてふらつくこともなくなる。この結果、ワイヤ２０に取付部材４３で取り付けられているカメラ４１も揺れてふらつくこともなくなる。従って、この状態でカメラ４１によりコンクリート製電柱１の中空部５内を撮像することにより、鮮明な画像を得ることができる。
【００４５】
なお、本実施形態の上記処理は、第１のワイヤ１５、第２のワイヤ１９、第３のワイヤ２３を第１のスナップ付サルカン１７、第２のスナップ付サルカン２３で予め連結して、ワイヤ２０を作成しておくとともに、このワイヤ２０に重り２５とカメラ４１およびカメラコード４７を予め取り付けて準備しておくことによりカメラ４１による確認作業を迅速に行なうことができるが、予め準備しておかなくても、単に第１のワイヤ１５、第２のワイヤ１９、第３のワイヤ２３を第１のスナップ付サルカン１７、第２のスナップ付サルカン２３で連結してワイヤ２０を作成し、このワイヤ２０に重り２５とカメラ４１、カメラコード４７を取り付ける作業のみが従来に比較して多いだけであって、この作業は比較的に簡単なものであるため、従来、カメラ４１が揺れてふらつくために、カメラ４１による撮像が完了するまでにかかった従来の作業時間に比較して飛躍的に作業時間を短縮できるようになった。具体的には、従来、１時間かかった作業時間を例えば１０分程度まで短縮できた。
【００４６】
なお、上記説明では、重り２５がコンクリート製電柱１の底に到達し、横倒しになった重り２５を起立させてからカメラ４１による中空部５内の撮像を行なっているが、本発明はこれに限定されるものでなく、重り２５の重力によりワイヤ２０を緊張させながらワイヤ２０とともにカメラ４１を下方に繰り出している最中に、下方に移動しつつあるカメラ４１で中空部５内の各下方位置における撮像を適宜複数回行なってもよいものであることは勿論のことである。なお、この場合も、カメラ４１を取り付けているワイヤ２０は重り２５により下方に引っ張られて緊張しているので、ワイヤ２０およびカメラ４１のふらつきはなく、カメラ４１により中空部５内の画像を迅速に撮像できるものである。
【００４７】
更に、上記実施形態では、カメラ４１はワイヤ２０に取付部材４３で固定的に取り付けられている場合について説明しているが、本発明はこれに限定されるものでなく、上述したようにカメラ４１を最初にワイヤ２０に固定的に取り付けることなく、ワイヤ２０を重り２５を用いて垂れ下ろして緊張させた後、この重り２５を用いて緊張させた状態のワイヤ２０に沿って後からカメラ４１のみを下方に移動させ得るようにワイヤ２０の直径よりも若干大きい直径を有するリングなどの環状部材をカメラ４１に取り付け、この環状部材にワイヤ２０を挿入して連結するなどしてカメラ４１をワイヤ２０に緩く連結し、この緩い連結状態で環状部材を用いてカメラ４１をワイヤ２０に沿って中空部５内を下方移動させたり、または場合によっては上方に戻るように移動させながらコンクリート製電柱１の中空部５内をカメラ４１で撮像して確認してもよいものである。
【００４８】
次に、図３を参照して、本発明の他の実施形態に係わるコンクリート製電柱内部確認方法について説明する。
【００４９】
本実施形態は、図１で示したと同様な例えば長さが１６〜１７ｍの共架柱などの立設されたコンクリート製電柱１の中空部５に補強材としての棒状部材５１を複数挿入する状態におけるコンクリート製電柱１の中空部５内をカメラ４１で撮像して、複数の棒状部材５１が適確に配置されているかなどの施工状態におけるコンクリート製電柱１の中空部５内の確認を行なうものである。
【００５０】
図３に示すように、本実施形態のコンクリート製電柱１は、前記開口部７の上方約２００〜３００ｍｍの側面である外周部３に第２の開口部７１が形成されている点が図１と異なっている。この第２の開口部７１は、例えば縦が約２５０〜３００ｍｍ、横が約２０〜５０ｍｍのほぼ楕円形であり、補強材としての棒状部材５１を複数、中空部５内に挿入するために使用される。この第２の開口部７１は、例えばコンクリート製電柱１に設けられている足場ボルト部分を掘削して形成したり、またはコンクリート製電柱１の側部の外周部３を例えばコア抜きドリルなどを用いて形成してもよいものである。
【００５１】
なお、開口部７は、以下第１の開口部７と称することにするが、この第１の開口部７は、複数の棒状部材５１を第２の開口部７１から中空部５内に挿入した後、複数の棒状部材５１の隙間に例えば豆砂利、砕石などの第１の隙間充填材を投入し、それからこの第１の隙間充填材の上に例えば無収縮モルタル、エポキシなどの樹脂またはコンクリートなどの第２の隙間充填材を投入するために使用されるものである。
【００５２】
コンクリート製電柱１の中空部５内に第１の開口部７から挿入される複数の棒状部材５１は、各々図３に示すように、アラミド繊維請求項の棒状部材であるアラミドロッド５１ａと、この下方に連結されていて、棒状部材全体を安定化するための重りの役目を果たす異型鉄筋５１ｂと、アラミドロッド５１ａを異型鉄筋５１ｂに連結するためのアルミなどからなる連結部材５１ｃとから構成されている。なお、図３では図示しないが、各棒状部材５１を中空部５に挿入する過程において各棒状部材５１を支持するためのワイヤが各棒状部材５１の上端部、すなわちアラミドロッド５１ａの上端部に取り付けられているものである。アラミドロッド５１ａは、長さが例えば約１８００〜３０００ｍｍであり、補強を行なう部分の条件などにより適宜調整される。また、異型鉄筋５１ｂは、長さが例えば約７００〜９００ｍｍである。
【００５３】
また、図３においては、コンクリート製電柱１の中空部５に挿入された複数の棒状部材５１を中空部５において均等に配置するための補強材均等配置用冶具５０が図示され、この補強材均等配置用冶具５０は、前記第２の開口部７１に図１と同様に挿入されたパイプ１３を貫通して中空部５を下方に垂れ下ろされているワイヤ２２の下端部から３本に分かれた分岐ワイヤ２２ａによって支持されている。なお、補強材均等配置用冶具５０は、特にコンクリート製電柱１を傾斜して設置したような場合においてコンクリート製電柱１の中空部５に配置した複数の棒状部材５１が中空部５内で傾斜して片方に寄ってしまったような場合、このような片方によって配置された複数の棒状部材５１を中空部５内で片寄らずに均等に配置するためなどに使用されるものである。
【００５４】
補強材均等配置用冶具５０は、詳しくは図４に示すように、鉄製の環状中心部材５５と、この環状中心部材５５の外周面に等間隔で取り付けられたＵ字形の複数の貫通部５７とから構成され、環状中心部材５５に均等に形成された３個の孔５５ａに前記３本の分岐ワイヤ２２ａの下端部が取り付けられ、この３本の分岐ワイヤ２２ａが１本のワイヤ２２でまとめられ、上方から吊り下げられている。
【００５５】
また、環状中心部材５５を吊り下げているワイヤ２２の分岐ワイヤ２２ａに連結される下端部には、図１（ｂ）に示したと同様なスナップ付サルカン５３を介して重り５９が取り付けられ、ワイヤ２２を環状中心部材５５とともに下方に引っ張って緊張させる役目を果たしている。すなわち、ワイヤ２２に対しては、重り５９のみならず、環状中心部材５５の重量も重り５９と同様に重りの役目を果たしているのである。なお、この場合の重り５９の重量は、例えば約２００ｇであり、環状中心部材５５の重量と合わせると、全体としてワイヤ２２に対する重量は、３００〜３５０ｇ程度である。
【００５６】
上述したように、環状中心部材５５および重り５９を吊り下げているワイヤ２２の下端部寄り、詳しくはワイヤ２２が３本の分岐ワイヤ２２ａに連結されるワイヤ２２の下端部から例えば約２０ｍｍ上方の位置のワイヤ２２には、図２に示したと同様なカメラ４１が撮像レンズを下向きにしてビニールテープなどの取付部材４３で固定的に取り付けられている。また、カメラ４１の下端部には水センサ４１ａが露出している。
【００５７】
また、カメラ４１に接続されたカメラコード４７は、ワイヤ２２に沿って中空部５内を上方に配設され、第２の開口部７１を通って外部に設けられたモニタ４９に接続されている。
【００５８】
次に、上述した本実施形態のコンクリート製電柱内部確認方法の複数の棒状部材５１をコンクリート製電柱１内に挿入し、補強材均等配置用冶具５０を用いて均等に配置して補強する施工状態において棒状部材５１の設置状態などをカメラ４１で撮像して確認するための一連の確認動作手順について説明する。なお、第１の開口部７および第２の開口部７１は、既に形成されているものとして説明する。
【００５９】
まず、補強材均等配置用冶具５０に３本の分岐ワイヤ２２ａを介してワイヤ２２を取り付けるとともに、このワイヤ２２に図４で説明したようにカメラ４１を取付部材４３で取り付け、カメラコード４７をワイヤ２２に沿わせるように用意する。
【００６０】
次に、ワイヤ２２およびカメラコード４７のついた補強材均等配置用冶具５０を第２の開口部７１からコンクリート製電柱１の中空部５に挿入する。そして、この中空部５に挿入された補強材均等配置用冶具５０の各貫通部５７に棒状部材５１を１本ずつ第２の開口部７１を介して挿入するように各棒状部材５１を異型鉄筋５１ｂのある下端部側から第２の開口部７１を介して棒状部材５１の各貫通部５７に挿入する。なお、棒状部材５１を構成するアラミドロッド５１ａは、比較的柔軟なアラミド繊維で形成されているものであるため、アラミドロッド５１ａは第２の開口部７１を貫通して下方に湾曲しながら、中空部５に挿入された補強材均等配置用冶具５０の各貫通部５７に比較的容易に挿入することが可能である。
【００６１】
複数の棒状部材５１のすべてが中空部５に挿入された補強材均等配置用冶具５０の各貫通部５７に挿入されると、各棒状部材５１を徐々に中空部５内の下方に向けて繰り出すとともに、この繰り出しに合わせて補強材均等配置用冶具５０およびカメラ４１もワイヤ２２およびカメラコード４７を保持しながら同様に中空部５内の下方に向けて繰り出すが、この場合、カメラコード４７の上端部をパイプ１３に通し、このパイプ１３を第２の開口部７１から中空部５内の断面のほぼ中央に出すことによりカメラコード４７は中空部５内の断面のほぼ中央に沿って繰り出されることになる。
【００６２】
なお、この繰り出しにおいては、各棒状部材５１は、それぞれの下端部に連結された異型鉄筋５１ｂの重りの重量により繰り出しが容易に行なわれ、また補強材均等配置用冶具５０およびカメラ４１は、補強材均等配置用冶具５０自身の重量と重り５９の重力により繰り出しが容易に行なわれているものである。
【００６３】
このような下方への繰り出しにより、各棒状部材５１が中空部５内に挿入されると、各棒状部材５１の上端部に取り付けられている図示しない前記ワイヤを第２の開口部７１を介して外部で保持しながら各棒状部材５１を補強材均等配置用冶具５０およびカメラ４１とともに更に中空部５を下方に繰り出し、この繰り出しを図３に示すように、各棒状部材５１の下端部がコンクリート製電柱１の最下端部の底に当るまで行なう。
【００６４】
図３に示すように、各棒状部材５１の下端部がコンクリート製電柱１の底に当ると、繰り出しをここで停止する。この状態では、各棒状部材５１は補強材均等配置用冶具５０により中空部５内に片寄ることもなく等間隔で均等に配置される。また、補強材均等配置用冶具５０を吊り下げているワイヤ２２の下端部寄りに取り付けられたカメラ４１は、図３に示すように撮像レンズのある下端部がコンクリート製電柱１の底の方を向いて補強材均等配置用冶具５０の上方に位置しているので、この状態で撮像を行うと、カメラ４１はコンクリート製電柱１の中空部５内の下方の画像、すなわち複数の棒状部材５１が配置されている画像を撮像できる。この画像をカメラコード４７を介してモニタ４９に送ることにより、モニタ４９には複数の棒状部材５１が中空部５内において均等に配置されている状態の画像がモニタ４９に表示され、各棒状部材５１の設置状態およびコンクリート製電柱１の中空部５内の下方の状態を適確に確認することができる。
【００６５】
なお、図３に示すように、各棒状部材５１の下端部がコンクリート製電柱１の底に当った後、第２の開口部７１を介して外部に出ているワイヤ２２およびカメラコード４７を適宜上方に繰り上げるなどして、補強材均等配置用冶具５０およびカメラ４１の上下方向の位置を調整し得ることは勿論のことである。
【００６６】
上述したように各棒状部材５１がコンクリート製電柱１の底の中空部５内において均等に配置されたことをカメラ４１による画像で確認すると、次にワイヤ２２およびカメラコード４７を上方にたぐるように繰り上げて、補強材均等配置用冶具５０およびカメラ４１を中空部５内を上方に引き上げ、第２の開口部７１から取り出す。
【００６７】
このように補強材均等配置用冶具５０およびカメラ４１を第２の開口部７１を介して中空部５から取り出した後、第１の開口部７から中空部５内に例えば豆砂利、砕石などの第１の隙間充填材を投入して各棒状部材５１の透間に充填し、更にこの上に例えば無収縮モルタル、エポキシなどの樹脂またはコンクリートなどの第２の隙間充填材を投入して同様に各棒状部材５１の透間に充填し、これによりコンクリート製電柱１を補強することができる。
【００６８】
次に、図５を参照して、本発明の別の実施形態に係わるコンクリート製電柱内部確認方法について説明する。
【００６９】
本実施形態のコンクリート製電柱内部確認方法は、図１に示した実施形態における例えば共架柱などのコンクリート製電柱１の代わりに例えば長さが６〜７ｍの単独柱などのコンクリート製電柱１０の中空部５内の状態を事前に確認するものであり、コンクリート製電柱が単独柱のコンクリート製電柱１０に変更されている第１の点、および図１で説明した重り２５のついたワイヤ２０と、このワイヤ２０に取付部材４３で取り付けられたカメラ４１と、このカメラ４１に連結されたカメラコード４７とをコンクリート製電柱１０の中空部５内のほぼ中央に垂れ下ろすために、図１で説明した開口部７を使用せずに、コンクリート製電柱１０の最上端に形成された上端末口部１０ａを使用し、この上端末口部１０ａからワイヤ２０、カメラ４１およびカメラコード４７をコンクリート製電柱１０の中空部５に挿入して垂れ下ろすようにした第２の点が図１の実施形態と異なるものであり、これらの点に関する以外の他の構成は図１と同じであり、同じ構成要素には同じ符号が付されている。
【００７０】
上記第２の点を実施するために、図５に示す実施形態では、コンクリート製電柱１０の最上端に形成された上端末口部１０ａに例えば棒状または板状の支持部材６１を取り付け、この支持部材６１の先端をコンクリート製電柱１０の中空部５の断面のほぼ中央まで延出し、この中央に延出した支持部材６１の先端に滑車などのような外周面に溝の形成された回転部材６３を取り付ける。この回転部材６３の溝に前記ワイヤ２０をかけるとともに、このワイヤ２０の先端を前記支持部材６１の端部に取り付けられた例えば釣りのリールのような巻取器６５に巻回し、この巻取器６５をハンドルなどで回転することによりワイヤ２０を巻き取ったり、巻き戻してコンクリート製電柱１０の中空部５に垂れ下ろすことができるように構成している。なお、カメラ４１に連結されたカメラコード４７は、ワイヤ２２に沿って上端末口部１０ａから外部に延出し、モニタ４９に接続されている。
【００７１】
このように構成される図５に示す実施形態のコンクリート製電柱内部確認方法は、図１の実施形態においてワイヤ２０、カメラ４１、カメラコード４７を開口部７から中空部５に挿入して下方に垂れ下ろすというワイヤ２０、カメラ４１、カメラコード４７の挿入垂下し処理がコンクリート製電柱１０の上端末口部１０ａから巻取器６５を用いて行なわれているものであり、その他の作用および効果は基本的に同じであるが、本実施形態では、巻取器６５を使用しているため、図１の実施形態に比較して操作性に優れているという利点がある。
【００７２】
次に、図６を参照して、本発明の更に他の実施形態に係わるコンクリート製電柱内部確認方法について説明する。
【００７３】
本実施形態は、図３の実施形態において例えば共架柱等のコンクリート製電柱１の代わりに図５の実施形態と同様に例えば長さが６〜７ｍの単独柱などのコンクリート製電柱１０の中空部５内の施工状態、即ち複数の棒状部材５１が適正に配置されているかなどの施工状態を確認するものであり、コンクリート製電柱が単独柱のコンクリート製電柱１０に変更されている第１の点、中空部５に挿入された複数の棒状部材５１を均等に配置するために前記補強材均等配置用冶具５０の代わりに軸棒７２に取り付けられた別の補強材均等配置用冶具７０を２個用いて複数の棒状部材５１を中空部５内に均等に配置する第２の点、および補強材均等配置用冶具７０を中空部５内に挿入したために図５で説明したワイヤ２０、カメラ４１、カメラコード４７を中空部５内の真中に挿入して垂れ下ろすことが困難となり、これらを中空部５内の縁部寄りの部分に上端末口部１０ａから垂れ下ろした第３の点の３つの点が異なることが図３および図５に示した実施形態と異なるものであり、その他の構成および作用は同じであり、同じ構成要素には同じ符号を付している。なお、本実施形態では、コンクリート製電柱１０の上端の上端末口部１０ａに取り付けられる支持部材６１の先端および回転部材６３は、図５のように上端末口部１０ａの中程まで延出されず、上端末口部１０ａの縁部に固定されている。
【００７４】
本実施形態において、複数の棒状部材５１を中空部５内に均等に配置するために使用される補強材均等配置用冶具７０は、図６に示すように、コンクリート製電柱１０の中空部５内のほぼ中央に垂直にコンクリート製電柱１０の最下端部の底まで挿入された軸棒７２に取り付けられて、複数の棒状部材５１を中空部５内で均等に配置するようになっている。なお、図６においては、補強材均等配置用冶具７０は、コンクリート製電柱１０の中空部５内の最下端の底に近い位置とこの位置より少し上方の位置の２ヶ所において複数の棒状部材５１を均等に配置するように２個設けられているが、両補強材均等配置用冶具７０は同じ構造のものである。
【００７５】
この補強材均等配置用冶具７０は、詳しくは図７に示すように、複数の棒状部材５１が貫通する複数の貫通部１３８を有し、この複数の貫通部１３８で複数の棒状部材５１を支持して均等に配置するようになっている。なお、補強材均等配置用冶具７０が取り付けられている軸棒７２は、下端部に石突き７３が取り付けられ、この石突き７３がコンクリート製電柱１０の最下端部の底に当って固定されている。図７に示す他の構成要素およびその配置は、先の実施形態で説明したものと同じであり、同じ構成要素には同じ符号が付されている。
【００７６】
補強材均等配置用冶具７０は、更に詳しくは図８に示すように、前記貫通部１３８が取り付けられている上腕部１３３と下腕部１３４からなる４個の腕部１３Ａを有し、貫通部１３８は上腕部１３３および下腕部１３４の中程に形成された孔部１３６に挿入可能な連結部１３９を有し、この連結部１３９を上腕部１３３または下腕部１３４のいずれかの孔部１３６に挿入することにより取り付けられている。なお、上腕部１３３と下腕部１３４を互いに可動自在に連結している肘部には、補強材均等配置用冶具７０をコンクリート製電柱１０の中空部５に挿入した時に、外周部３の内側面に当ることにより補強材均等配置用冶具７０の水平方向への展開を容易にする平座金（プレーンワッシャ）１３５が可動自在に取り付けられている。
【００７７】
更に詳しくは、貫通部１３８は、連結部１３９により腕部１３Ａに取り付けられる場合、隣接する腕部１３Ａ同士において貫通部１３８が上腕部１３３および下腕部１３４の同じ側にならず、交互になるように変更して取り付けられている。換言すると、ある腕部１３Ａにおいて貫通部１３８が上腕部１３３に取り付けられる場合には、その腕部１３Ａに両隣りで隣接する腕部１３Ａでは貫通部１３８は下腕部１３４に取り付けられるようになっている。
【００７８】
また、複数の下腕部１３４の各下端部は、固定連結部１３２により軸棒７２に固定的に取り付けられ、また各上腕部１３３は、可動連結部１３１により軸棒７２に対して摺動可能に取り付けられ、この可動連結部１３１を固定連結部１３２に対して上方に移動させた場合には、補強材均等配置用冶具７０は、図９に示すように、上腕部１３３および下腕部１３４からなる腕部１３Ａが閉じて全体的に細くなり、これによりコンクリート製電柱１０の最上端の上端末口部１０ａから中空部５内に容易に挿入し得るようになっている。
【００７９】
なお、図８に示すように、各下腕部１３４の下端部が取り付けられている固定連結部１３２の位置よりも少し上方の位置には、ストッパ１３７が軸棒７２に固定的に取り付けられ、これにより各上腕部１３３の上端部を軸棒７２に対して摺動可能に取り付けている可動連結部１３１は、このストッパ１３７よりも下方に移動しないようになっている。
【００８０】
また、各貫通部１３８は、同じ径を有する２個の半円環型部材１３８ａおよび１３８ｂの端部同士を互いに可動自在に取り付けられている。そして、一方の半円環型部材１３８ａの中程に前記連結部１３９が取り付けられ、この連結部１３９により腕部１３Ａの孔部１３６に取り付けられている。
【００８１】
以上のように構成される補強材均等配置用冶具７０を図６に示すように２個用いて、複数の棒状部材５１をコンクリート製電柱１０の上端末口部１０ａから中空部５内に挿入して均等に配置される施工時において、この施工により複数の棒状部材５１が適確かつ均等に配置されているかを確認するために、本実施形態では、コンクリート製電柱１０の上端末口部１０ａからワイヤ２０を用いてカメラ４１を中空部５内に垂れ下ろし、このカメラ４１で中空部５内の状態を撮像してモニタ４９に表示したり記録して確認する。
【００８２】
このカメラ４１による撮像確認処理は、図５と同様に支持部材６１、回転部材６３、ハンドル６５ａ付きの巻取器６５を用いて垂れ下ろす重り２５付きのワイヤ２０にカメラ４１およびカメラコード４７を取付部材４３、４５で固定的に取り付け、このカメラ４１の取り付けられたワイヤ２０を中空部５内に垂れ下ろすが、本実施形態では、補強材としての複数の棒状部材５１とこの複数の棒状部材５１を均等に配置するための２個の補強材均等配置用冶具７０が既に中空部５内に挿入されていて、中空部５の中程部分はかなり混み合っていて、この部分にワイヤ２０により重り２５およびカメラ４１を垂れ下ろすことは困難であり、中空部５の縁寄り部分に重り２５およびカメラ４１を垂れ下ろす隙間があるのみであるので、この縁寄り部分の隙間に重り２５およびカメラ４１を垂れ下ろすために、本実施形態では、図６に示すように、コンクリート製電柱１０の上端末口部１０ａの縁部に支持部材６１の先端を設定して回転部材６３を取り付け、この回転部材６３から巻取器６５に巻回されたワイヤ２０を中空部５内に垂れ下ろすようにしている。
【００８３】
すなわち、本実施形態では、図６に示すように、２個の補強材均等配置用冶具７０を用いて複数の棒状部材５１が中空部５内に均等に配置された施工状態を確認するために、第１のワイヤ１５、第２のワイヤ１９、第３のワイヤ２３を第１のスナップ付サルカン１７、第２のスナップ付サルカン２３で連結して形成されるワイヤ２０の下端部に重り２５を取り付けるとともに、このワイヤ２０にカメラ４１およびカメラコード４７を取付部材４３、取付部材４５で固定的に取り付ける。
【００８４】
そして、このカメラ４１の取り付けられたワイヤ２０をコンクリート製電柱１０の上端末口部１０ａから中空部５内に重り２５を下にして垂れ下ろすように設定するとともに、ワイヤ２０の上端部側を上端末口部１０ａの縁寄り部分に固定された回転部材６３を介して巻取器６５に巻回しておく。そして、巻取器６５のハンドル６５ａをゆっくりと回転しながら巻取器６５に巻回されたワイヤ２０を巻き戻すことによりワイヤ２０を上端末口部１０ａの縁部寄りから中空部５の縁部に沿って徐々に中空部５内に繰り出す。この結果、ワイヤ２０に取り付けられたカメラ４１は、下端部に取り付けられた重り２５により中空部５の縁部に沿って中空部５内を下方に垂れ下ろされる。
【００８５】
このようにカメラ４１がワイヤ２０により重り２５の重力で中空部５内を下方に垂れ下ろされ、重り２５が中空部５の最下端部の底に当り、一旦横倒しになる。この横倒しになった重り２５を起立させるべく巻取器６５のハンドル６５ａを操作してワイヤ２０を巻き取り、重り２５を起立させる。
【００８６】
重り２５が起立すると、ワイヤ２０は、引っ張られて緊張するので、この緊張を維持した状態で巻取器６５のハンドルを固定すると、ワイヤ２０は従来のように揺れてふらつくこともなく固定される。この結果、ワイヤ２０に取り付けられているカメラ４１も揺れてふらつくこともなくなる。従って、この状態でカメラ４１によりコンクリート製電柱１０の中空部５内を撮像することにより、鮮明な画像を得ることができる。
【図面の簡単な説明】
【００８７】
【図１】本発明の一実施形態に係わるコンクリート製電柱内部確認方法を説明するためのコンクリート製電柱の断面およびコンクリート製電柱の中空部内の確認作業に必要な関連部材および装置を示す図である。
【図２】図１に示す実施形態のコンクリート製電柱内部確認方法に使用されるカメラの構成を示す図である。
【図３】本発明の他の実施形態に係わるコンクリート製電柱内部確認方法を説明するためのコンクリート製電柱の断面およびコンクリート製電柱の中空部内の確認作業に必要な関連部材および装置を示す図である。
【図４】図３に示す実施形態のコンクリート製電柱内部確認方法に使用される補強材均等配置用冶具の構成を示す斜視図である。
【図５】本発明の別の実施形態に係わるコンクリート製電柱内部確認方法を説明するためのコンクリート製電柱の断面およびコンクリート製電柱の中空部内の確認作業に必要な関連部材および装置を示す図である。
【図６】本発明の更に他の実施形態に係わるコンクリート製電柱内部確認方法を説明するためのコンクリート製電柱の断面およびコンクリート製電柱の中空部内の確認作業に必要な関連部材および装置を示す図である。
【図７】図６に示した実施形態のコンクリート製電柱内部確認方法に使用される補強材均等配置用冶具の構成を示す斜視図である。
【図８】図６に示した実施形態のコンクリート製電柱内部確認方法に使用される補強材均等配置用冶具の構成を更に詳しく示す斜視図である。
【図９】図６に示した実施形態のコンクリート製電柱内部確認方法に使用される補強材均等配置用冶具をコンクリート製電柱の上端末口部から挿入するための補強材均等配置用冶具の閉じた状態を示す斜視図である。
【符号の説明】
【００８８】
１、１０    コンクリート製電柱
３    外周部
５    中空部
７    開口部
１０ａ    上端末口部
２０    ワイヤ
２５、５９    重り
４１    カメラ
４７    カメラコード
４９    モニタ
５０、７０    補強材均等配置用冶具
５１    棒状部材
７１    第２の開口部
【図１】
2005227135.tif 000003
【図２】
2005227135.tif 000004
【図３】
2005227135.tif 000005
【図４】
2005227135.tif 000006
【図５】
2005227135.tif 000007
【図６】
2005227135.tif 000008
【図７】
2005227135.tif 000009
【図８】
2005227135.tif 000010
【図９】
2005227135.tif 000011